(57)【要約】【課題】  悪臭成分をバーナーにより燃焼させる排ガス脱臭装置の燃料通路の開閉および点火を行う操作装置とする。【解決手段】  バーナーの燃料コック２０と点火スイッチ９、操作装置内に押し込み解除方向に付勢された状態で押し込み可能に配されるとともに、操作つまみ４を一端に、燃料コックのつまみ２１に係合する回転係合体６を他端に、点火スイッチの操作ノブ１０に係合する直動係合体５を側方に設けた回転操作軸３を有し、直動係合体に係合する点火スイッチの操作ノブを回転操作軸の押し込みによりオン位置に、押し込み解除によりオフ位置に前後動させるとともに、回転係合体に係合する燃料コックの開閉つまみを回転操作軸の回転により開放および閉止位置に回転させ、上記回転操作軸は押し込み時にのみ回転が許されるとともに、回転させた状態で押し込みの解除が阻止される。【選択図】      図１
2020012572.tif 000002
【特許請求の範囲】
【請求項１】
ガス中に含まれる可燃性の悪臭成分をバーナーにより燃焼させる排ガス脱臭装置の燃料通路の開閉および点火を行うための操作装置にして、
排ガス脱臭装置のバーナーの燃料通路中に配されるとともに、開閉つまみが操作装置内に配される燃料コック、
操作ノブが操作装置内に配される点火スイッチ、
操作装置内に押し込み解除方向に付勢された状態で押し込み可能に配されるとともに、操作者が回すための操作つまみを一端に、燃料コックのつまみに係合する回転係合体を他端に、点火スイッチの操作ノブに係合する直動係合体を側方に設けた回転操作軸を有し、
回転操作軸の直動係合体に係合する点火スイッチの操作ノブを回転操作軸の押し込みによりオン位置に、押し込み解除によりオフ位置に前後動させるとともに、
回転操作軸の回転係合体に係合する燃料コックの開閉つまみを回転操作軸の回転により開放および閉止位置に回転させ、
上記回転操作軸は押し込み時にのみ回転が許されるとともに、回転させた状態で押し込みの解除が阻止される機構を設けたことを特徴とする排ガス脱臭装置用操作装置。
【請求項２】
点火スイッチとしてトグルスイッチを使用し、上記トグルスイッチの操作ノブに係合する回転操作軸の直動係合体は操作ノブの揺動方向前方および揺動方向後方に係合壁を配したＵ字状のものとした請求項１記載の排ガス脱臭装置用操作装置。
【請求項３】
燃料コックのつまみとして略矩形状の突起部をもってつまみ代としたものを使用し、上記燃料コックのつまみに係合する回転操作軸の回転係合体はつまみ代の厚み方向の左右に係合壁を配したＵ字状のものとした請求項１または２記載の排ガス脱臭装置用操作装置。
【請求項４】
回転操作軸の側方に設けた突出部材が当接することにより回転操作軸の回転を規制する規制部材を配し、上記規制部材は回転操作軸の押し込みにより直動係合体が点火スイッチの操作ノブのオン位置まで移動した時点で突出部材との当接がなくなるとともに、回転させた突出部材が係合する位置に設けた請求項１から３の何れかに記載の排ガス脱臭装置用操作装置。
【請求項５】
Ｕ字状の直動係合体をもって突出部材とした請求項４記載の排ガス脱臭装置用操作装置。
【請求項６】
点火スイッチのオン状態において点灯する点火ランプを操作装置または操作装置外に設けた請求項１から５の何れかに記載の排ガス脱臭装置用操作装置。
【請求項７】
排ガス脱臭装置はバキュームカーのし尿タンクの排ガス用のものである請求項１から６の何れかに記載の排ガス脱臭装置用操作装置。
【発明の詳細な説明】
【技術分野】
【０００１】
本願発明はガス中に含まれる可燃性の悪臭成分をバーナーにより燃焼させる排ガス脱臭装置の燃料通路の開閉および点火を行うための操作装置に関する。
【背景技術】
【０００２】
例えば、バキュームカー、畜糞処理場、屎尿、下水処理場、塗装、化学薬品工場などの悪臭源から発生する悪臭の除去に用いる直接燃焼式排ガス脱臭装置が公知であった（特許文献１、２）。
【０００３】
前記の排ガス脱臭装置はガス中に含まれる可燃性の悪臭成分をバーナーにより燃焼させて脱臭するものであり、バーナーの燃料通路の開閉を行うための燃料コックと、ガスに点火するための点火プラグを備えていた。
【０００４】
そして、その作動に際しては操作者は先ず点火プラグの点火スイッチをオンにし、ついで燃料コックの開閉つまみを開放方向に回転する操作を要した。
【先行技術文献】
【特許文献】
【０００５】
【特許文献１】実公昭６０−２０２６４号公報
【特許文献２】特開平７−２９３８５０号公報
【発明の開示】
【発明が解決しようとする課題】
【０００６】
前記の排ガス脱臭装置は運転に際して先ず点火スイッチをオンにしてから燃料コックを開放することが必須であり、仮に燃料コックを先に開放してしまうと燃料が滞留してバックファイアーが生じる危険があった。
【０００７】
また、運転中は常に点火プラグをオンにして燃焼を継続させないといけないが、それを確認するためには脱臭装置の本体を覗き込んで隙間から燃焼する炎を確認することが必要であり、特に周囲が明るい昼間は確認しずらい問題があった。
【０００８】
一方、運転終了時には先ず燃料コックを閉止してから、点火スイッチをオフにすることが必須であり、この手順を誤ったり、一方の操作を忘れてしまうと、再運転後に燃料が滞留してバックファイアーが生じる危険があった。
【０００９】
さらに、前記の排ガス脱臭装置においては燃料コックおよび点火スイッチは脱臭装置の本体に取り付けられているので、これらを交換する場合の作業が大掛かりになる問題があった。
【課題を解決するための手段】
【００１０】
本願発明は以上の従来技術の問題点に鑑みて創作されたものであり、ガス中に含まれる可燃性の悪臭成分をバーナーにより燃焼させる排ガス脱臭装置の燃料通路の開閉および点火を行うための操作装置にして、
排ガス脱臭装置のバーナーの燃料通路中に配されるとともに、開閉つまみが操作装置内に配される燃料コック、
操作ノブが操作装置内に配される点火スイッチ、
操作装置内に押し込み解除方向に付勢された状態で押し込み可能に配されるとともに、操作者が回すための操作つまみを一端に、燃料コックのつまみに係合する回転係合体を他端に、点火スイッチの操作ノブに係合する直動係合体を側方に設けた回転操作軸を有し、
回転操作軸の直動係合体に係合する点火スイッチの操作ノブを回転操作軸の押し込みによりオン位置に、押し込み解除によりオフ位置に前後動させるとともに、
回転操作軸の回転係合体に係合する燃料コックの開閉つまみを回転操作軸の回転により開放および閉止位置に回転させ、
上記回転操作軸は押し込み時にのみ回転が許されるとともに、回転させた状態で押し込みの解除が阻止される機構を設けたことを特徴とする。
【００１１】
また、請求項２記載の発明は前記の操作装置において、点火スイッチとしてトグルスイッチを使用し、上記トグルスイッチの操作ノブに係合する回転操作軸の直動係合体は操作ノブの揺動方向前方および揺動方向後方に係合壁を配したＵ字状のものとしたことを特徴とする。
【００１２】
また、請求項３記載の発明は前記の操作装置において、燃料コックのつまみとして略矩形状の突起部をもってつまみ代としたものを使用し、上記燃料コックのつまみに係合する回転操作軸の回転係合体はつまみ代の厚み方向の左右に係合壁を配したＵ字状のものとしたことを特徴とする。
【００１３】
また、請求項４記載の発明は前記の操作装置において、回転操作軸の側方に設けた突出部材が当接することにより回転操作軸の回転を規制する規制部材を配し、上記規制部材は回転操作軸の押し込みにより直動係合体が点火スイッチの操作ノブのオン位置まで移動した時点で突出部材との当接がなくなるとともに、回転させた突出部材が係合する位置に設けたことを特徴とする。
【００１４】
また、請求項５記載の発明は前記の操作装置において、Ｕ字状の直動係合体をもって突出部材としたことを特徴とする。
【００１５】
また、請求項６記載の発明は点火スイッチのオン状態において点灯する点火ランプを操作装置または操作装置外に設けたことを特徴とする。
【００１６】
また、請求項７記載の発明は前記の操作装置において排ガス脱臭装置はバキュームカーのし尿タンクの排ガス用のものであることを特徴とする。
【発明の効果】
【００１７】
以上の構成よりなる本願発明の排ガス脱臭装置用操作装置によれば、操作装置内に押し込み解除方向に付勢された状態で押し込み可能に配されるとともに、操作者が回すための操作つまみを一端に、燃料コックのつまみに係合する回転係合体を他端に、点火スイッチの操作ノブに係合する直動係合体を側方に設けた回転操作軸により操作を行うので、一つの操作つまみの操作だけで燃料コックの開放と点火を行うことができる。
【００１８】
前記の操作は、操作ノブを押し込むことにより、直動係合体がそれに係合される点火スイッチの操作ノブをオン位置に押し、操作ノブを回転することにより、回転係合体がそれに係合される燃料コックの開閉つまみを開放方向に回転させるが、回転操作軸は押し込み時にのみ回転が許されるので点火が必ず先になり、燃料コックが先に開放されて燃料が滞留してバックファイアーを生じることがない。
【００１９】
一方、運転終了時には操作ノブを閉止方向に回転させることにより先ず燃料コックが閉止されるが、回転操作軸はその状態で初めて押し込みの解除が許されて直動係合体がそれに係合される点火スイッチの操作ノブをオフ位置に押し戻すので、手順を誤ったり、一方の操作を忘れてしまうことがなく、再運転後に燃料が滞留してバックファイアーが生じることがない。
【００２０】
また、排ガス脱臭装置の燃料コックおよび点火スイッチが、脱臭装置とは独立した操作装置に一体に配されるので修理や交換が容易になる。
【００２１】
同様に、脱臭装置とは独立した操作装置なので脱臭装置の配置に応じて設置位置が柔軟に対応でき、操作者が操作しやすくかつ視認しやすい場所に設置することができる。
【００２２】
また、請求項６記載の発明のように点火スイッチのオン状態において点灯する点火ランプを操作装置または操作装置外に設ければ、排ガス脱臭装置の消し忘れが防止され、特に排ガス脱臭装置の運転および停止を頻繁に繰り返すバキュームカーのし尿タンクの排ガス用の排ガス脱臭装置に有用な操作装置となる。
【００２３】
以上のように、本願発明の排ガス脱臭装置用操作装置によれば、第一に、ワンアクションによる点火・燃料供給および点火停止・燃料供給停止が可能となり、火器取り扱いの安全強化を図ることができる。
【００２４】
第二に、作業手順ミスによる運転開始のバックファイアがなくなり、運転終了時の点火停止忘れや燃料供給停止忘れが防止され、さらに点火ランプにより運転状態を視認でき、人的ミスが排除される。
【００２５】
第三に、ワンアクションによる作業効率の向上や作業員の心理的安心感の向上を図ることができる。
【００２６】
第四に、点火停止忘れ防止により不必要な電力消耗が防止され、燃料供給停止忘れ防止により不必要な燃料消耗の防止されるのでコストが削減できる。
【００２７】
第五に、従来は脱臭装置本体に設置されていたためにメンテナンス時（交換等) に作業が不便だった点火スイッチのメンテナンスが容易となる。
【図面の簡単な説明】
【００２８】
【図１】本願発明の排ガス脱臭装置用操作装置のカバーを外した状態の斜視図。
【図２】同上、点火スイッチのオフ状態、燃料コックの閉止状態の平面図。
【図３】同上、点火スイッチのオンとオフの中間状態、燃料コックの閉止状態の平面図。
【図４】同上、点火スイッチのオン状態、燃料コックの開放と閉止の中間状態の平面図。
【発明を実施するための最良の形態】
【００２９】
以下、本願発明の排ガス脱臭装置用操作装置の具体的実施例を添付図面に基づいて説明する。図中符号Ａは操作装置の本体を指し、ここではバキュームカーのし尿タンクの排ガス用の排ガス脱臭装置用の操作装置を例にとっている。上記操作装置は図示しないカバーを外した状態で図示している。
【００３０】
図中符号１は操作装置Ａの基板上に立設される枠体であり、この枠体には図示しない排ガス脱臭装置に操作装置を固定するための取り付けナット孔２、２が設けられるとともに、後記する各種の部材が取り付けられる。
【００３１】
図中符号２０は排ガス脱臭装置のバーナーの燃料通路中に配される燃料コックであり、開閉つまみ２１が枠体１内に露出した状態で枠体後方に取り付けられる。開閉つまみ２１はここではつまみとして略矩形状の突起部をもってつまみ代としたものを使用している。
【００３２】
図中符号９は排ガス脱臭装置の点火プラグの通電を制御する点火スイッチであり、操作ノブ１０が枠体１内に露出した状態で枠体内の袖壁８に取り付けられる。点火スイッチ９はここではトグルスイッチを使用している。
【００３３】
図中符号３は枠体１内に押し込み可能に配され、前後動および回転する回転操作軸である。上記回転操作軸３は枠体１前面壁に設けた挿通孔に挿通することにより枠体に取り付けられるものであり、操作者が回すための操作つまみ４が前面壁の外側から突出する一端に設けられ、操作つまみと枠体前面壁に圧縮コイルバネ７を圧入することにより押し込み解除方向に付勢される。なお、上記回転操作軸３の枠体１内に位置する箇所には膨径部が設けられることにより抜け止めとなる。
【００３４】
前記回転操作軸３は前後動により点火スイッチ９のオンオフを、回転により燃料コック２０の開閉を行うためのものであり、枠体１の前面壁の内側から突出する他端に燃料コックのつまみ２１に係合する回転係合体６が、側方に点火スイッチの操作ノブ１０に係合する直動係合体５が設けられる。上記回転係合体６は燃料コック２０のつまみの略矩形状の突起部のつまみ代に対しそれを挟むように係合するつまみ代の厚み方向の左右に係合壁を配したＵ字状のものとしている。また、直動係合体６は点火スイッチ９の操作ノブ１０の揺動方向前方および揺動方向後方に係合壁を配したＵ字状のものとしている。
【００３５】
前記の回転操作軸３には押し込み時にのみ回転が許されるとともに、回転させた状態で押し込みの解除が阻止される機構が設けられる。そのためにここでは回転操作軸の側方に設けた突出部材が当接することにより回転操作軸の回転を規制する規制部材を配し、上記規制部材は回転操作軸の押し込みにより直動係合体が点火スイッチの操作ノブのオン位置まで移動した時点で突出部材との当接がなくなるとともに、回転させた突出部材が係合する位置に設けている。
【００３６】
具体的には、前記突出部材として直動係合体５を利用し、直動係合体の直下に棒状の規制部材１１を配している。上記規制部材１１は付勢力により回転操作軸３が点火スイッチのオフ位置にある場合には直動係合体５がその上に位置し、押し込みにより点火スイッチのオン位置にある場合には直動係合体５から外れる位置に取り付けるとともに直動係合体の長さを調整している。その結果、直動係合体５が規制部材１１上にある場合には回転操作軸３を回転しようとしても直動係合体が規制部材に当接して回転が規制され（図１および図２参照）、直動係合体が規制部材上から外れた場合は回転操作軸の回転が可能となって燃料コック２０を回転することが可能となる（図３参照）。前記において、回転操作軸３を燃料コック２０の開放位置に回転した場合は、回転により直動係合体６の係合壁が規制部材１１に係合して回転操作軸の付勢力による押し込み解除が阻止される（図４参照）。
【００３７】
図中符号２は点火スイッチ９のオン状態において点灯する点火ランプ１２である。上記点火ランプ１２はここでは操作装置Ａの枠体１の前面壁に設けているが、配線ケーブルを延長して例えばバキュームカーの運転席に設けてもよい。
【符号の説明】
【００３８】
Ａ      操作装置
１      枠体
２      取り付けナット孔
３      回転操作軸                                
４      操作つまみ
５      直動係合体
６      回転係合体                                
７      圧縮コイルバネ
９      点火スイッチ
１０    点火スイッチのノブ
１１    規制部材
１２    点火ランプ
２０    燃料コック
２１    燃料コックのつまみ
【図１】
2020012572.tif 000003
【図２】
2020012572.tif 000004
【図３】
2020012572.tif 000005
【図４】
2020012572.tif 000006